(57)【要約】【課題】  新しい床衝撃音の抵減構造を提供するものであり、衝撃力が床のどこにかかってもこれが分散されて伝達され、しかも、高分子繊維系材料がダンパ−としても機能する構造である。【解決手段】  集合住宅あるいは戸建住宅の床衝撃音の低減構造であって、根太あるいは床版と床材との間に防振ゴムと高分子繊維系材料を配置し、前記高分子繊維系材料は防振ゴムに掛かる圧縮荷重を一部分負担する程度に圧縮して面防振の構造とし、バネ機能とダンピング機能を持たせた低騒音床構造。１‥高分子繊維系材料、２‥床材、３‥床版、４‥防振ゴム。【選択図】  図３
2006144339.tif 000002
【特許請求の範囲】
【請求項１】
集合住宅あるいは戸建住宅の床衝撃音の低減構造であって、根太あるいは床版と床材との間に防振ゴムと高分子繊維系材料を配置し、前記高分子繊維系材料は防振ゴムに掛かる圧縮荷重を一部分負担する程度に圧縮して面防振の構造とし、バネ機能とダンピング機能を持たせたことを特徴とする低騒音床構造。
【請求項２】
防振ゴムと高分子繊維系吸音材とは、別置きに配した請求項１記載の低騒音床構造。
【請求項３】
防振ゴムと高分子繊維系吸音材とは、高分子繊維系吸音材の中に防振ゴムを埋め込み一体化した請求項１記載の低騒音床構造。
【請求項４】
高分子繊維系材料がポリエステル繊維系材料である請求項１記載の低騒音床構造。
【発明の詳細な説明】
【技術分野】
【０００１】
本発明は、集合住宅あるいは戸建住宅の上下階の床衝撃音の抵減構造に関する。
【背景技術】
【０００２】
主に集合住宅用に実用化されている床衝撃音の抵減構造として、図１に例示するような床版と床材の問に挿入する防振ゴム（クッションゴム）方式やコイルバネ方式等がある。最近では、重量衝撃音に対して、さらなる振動絶縁性能、さらには床衝撃音低減性能の高性能化が要求されているが、図１に示すような単一材料では限界がある。特に衝撃力の第１波に対しては、低減性能が発揮できない。
【０００３】
図１に示すような従来の構造にあっては、床衝撃に対して図２に示すように作用し、床衝撃が床のどの点に印加されるかにより床衝撃音にばらつきを生じるとともに、衝撃力がゴム定に集中して床版に伝達する為に、特に重量衝撃に対して，その低減性能の悪化要因になる。
【０００４】
床衝撃音の低減性能を上げる方法として、防振ゴムや金属バネを柔らかくする方法があるが、耐久性の心配や歩行性が不安定になることなどから限界がある。さらに、バネ材としてロックウ−ルやグラスウールを圧縮したものも使われた例があるが、耐久性、性能の面で課題が多く余り普及していない。
【０００５】
さらに、床版と床材との間にバネ材を挿入すると空間ができ、床衝撃を受けるとその空間で定在波が発生し、階下での床衝撃音の低減性能に悪影響を与え、それを防止する為に吸音材を空間に配したりしているが、部分的に配置しただけでは十分定在波を取り除けない。
【発明の開示】
【発明が解決しようとする課題】
【０００６】
住宅性能表示の関係から戸建住宅用のニーズも高まっているが、十分適合したものがまだ開発されていない。本発明は以上の課題を解決するために新しい床衝撃音の抵減構造を提供するものである。
【課題を解決するための手段】
【０００７】
本発明の要旨は、集合住宅あるいは戸建住宅の床衝撃音の低減構造であって、根太あるいは床版と床材との間に防振ゴムと高分子繊維系材料を配置し、前記高分子繊維系材料は防振ゴムに掛かる圧縮荷重を一部分負担する程度に圧縮して面防振の構造とし、バネ機能とダンピング機能を持たせたことを特徴とする低騒音床構造を提供するものである。
【０００８】
そして、防振ゴムと高分子繊維系吸音材とは、別置きに配しても、あるいは、高分子繊維系吸音材の中に防振ゴムを埋め込み一体化した構造であってもよい。なお、好ましくは高分子繊維系材料がポリエステル繊維系材料である。
【発明の効果】
【０００９】
本発明の床衝撃音の低減構造にあっては、衝撃力が床のどこにかかってもこれが分散されて伝達され、しかも、高分子繊維系材料がダンパ−としても機能することから床衝撃音の低減が達成される。
【発明を実施するための最良の形態】
【００１０】
本発明にあって、防振ゴムと高分子繊維系材料とで衝撃力を分担する面防振支持になっていること、高分子繊維系材料にダンバー機能と吸音機能をもたせていることで衝撃力を分散・緩和させると共に空間の定在波の発生も抑制し、衝撃力の第１波を含めて、効果的に床衝撃音を低減する床システムを提供できたものである。
【００１１】
上記の構成にしたことにより、衝撃力が床のどこにかかっても分散して床版あるいは根太に伝達され、しかも、衝撃力（特に第１波）に対して高分子繊維系材料がダンバーとしても機能する。具体的には、高分子繊維系材料はロックウ−ル、グラスウ−ル、ペットウ−ルであり、吸音機能を持たせるだけでなく、防振ゴムに掛かる圧縮荷重を一部分負担する程度に圧縮し、バネ機能とダンピング機能を持たせたこととしたものである。例えば、高分子繊維系材料は、嵩高：５〜８０％、好ましくは：嵩高５〜３０％に圧縮されて用いるのがよい。なお、高分子繊維系材料の代表的なものに循環型リサイクルができるペット（ポリエステル繊維）系材料が吸音性能や耐久、耐候性に優れ、好ましい材料の一つである。
【００１２】
更に言えば、階下に伝わる騒音としては、防振ゴム（支持脚）を介して伝わる固体伝搬音と、床下の空間を介して伝わる空気伝搬音の二種類が存在する。この発明の床構造においては、床と床版との間に防振ゴムを介在させ、床への衝撃によって生じる固体伝搬音をこの防振ゴムにより吸収して階下への騒音伝搬を遮断する。一方、空気伝搬音については、床下に吸音材（高分子繊維系材料）を配置してこれを遮断するもので、両者を併用して防音効果を更に向上させたものである。
【００１３】
しかも、衝撃力に対して防振ゴムと高分子繊維系材料とで面防振構造を構成して分担するので、防振ゴムのバネ定数を低くすることが可能で、歩行の安定性を悪化させずに系全体の固有振動数を下げることができ、衝撃力に対して振動絶縁性能を向上できることとなったものである。特に、高分子繊維系材料は吸音性能にも優れているので、併せて、床材と床板の間に生じる定在波の形成を防ぐことができるものである。
【００１４】
防振ゴムと高分子繊維系吸音材との組み合わせ方は、別置きに配しても良いし・高分子繊維系吸音材の中に防振ゴムを埋め込み一体化しても良い。
【実施例】
【００１５】
当該発明の基本的な構造構成を図３、図４に示す。高分子繊維系材料１は床材２と床版３（あるいは根太）の間で両者に接し適度に圧縮した状態で用いられ、床衝撃力を防振ゴム４と衝撃力を適切に分担する面防振構造になっている。
【００１６】
そして、図３にあっては、高分子繊維系材料１と防振ゴム４とは全く独立した形式であり、図４は、防振ゴム４は高分子繊維系吸音材１中に埋め込んで一体化した構造のものである。
【００１７】
図５は本発明の第３の例であり、ボルト状脚５を備えた防振ゴム４をもって床材２を支えるものであり、高分子繊維系材料１は２０％圧縮した例である。具体的には、床材２はＦＲＰ製の防水床パンであり、ボルト状脚５を備えた複数本の防振ゴム４が備えられており、高分子繊維系材料１は断面が１００×１００ｃｍで２０％圧縮した例である。
【００１８】
ここで用いられた防振ゴム４は固有振動数２０Ｈｚとなる防振ゴムを選択し、高分子繊維系材料１はポリエステル繊維である。
【００１９】
図６は本発明の低騒音床構造の特徴を示す模式図であり、床材２に加えられた衝撃力（音）は防振ゴム４を伝わって床版３に伝わるだけでなく、各防振ゴム４間に充填した高分子繊維系材料１によっても床版３に伝わるものであり、ここに面防振構造を形成するものである。言ってみれば音の伝播に対して並列回路を形成してなるもので、ここに面防振構造が完成し、防振ゴム部位に負荷が集中することなく、かつ、高分子繊維系材料によるダンパ−機能をも併せて発揮することとなったものである。
【００２０】
従来構造と当該発明の構造による床衝撃音の低減効果を図７に示すような実験モデルで比較した結果を示す。尚、従来構造としては、図５における高分子繊維系材料１のない構造のものである。
【００２１】
図８に衝撃力の時間波形を示すが、従来構造が衝撃力の第１波が余り低滅していないのに対して、当該発明の構造は効果的に減衰しており、当該発明が有効であることを示している。又、図９に示すように、その結果、床衝撃音も従来構造に比較し、効果的に低減しており、当該発明の構造の優位性を示している。
【産業上の利用可能性】
【００２２】
高分子繊維系材料は床材と床版あるいは根太の間で適度な圧縮した状態で用いられ、床衝撃力を防振ゴムと適切に分担する面防振構造になっており、床衝撃音の低減に対して極めて優れた効果を得ることができる。かかる分野は、住宅・建築分野以外に機器分野の防振、防振架台など幅広い分野にわたって利用可能である。
【図面の簡単な説明】
【００２３】
【図１】図１は図１は従来の床構造を示す断面図である。
【図２】図２は図１における衝撃音の伝播状態を示す概念図である。
【図３】図３は本発明の第１例の床構造を示す伝面図である。
【図４】図４は本発明の第２例の床構造を示す伝面図である。
【図５】図５は本発明の第３例の床構造を示す伝面図である。
【図６】図６は本発明における衝撃音の伝播状態を示す概念図である。
【図７】図７は床衝撃音測定のモデルである。
【図８】図８は本発明における床構造の衝撃力の時間波形グラフである。
【図９】図９は本発明における床構造の衝撃音の低減効果を示すグラフである。
【符号の説明】
【００２４】
１‥高分子繊維系材料、
２‥床材、
３‥床版、
４‥防振ゴム、
５‥ボルト状脚。
【図１】
2006144339.tif 000003
【図２】
2006144339.tif 000004
【図３】
2006144339.tif 000005
【図４】
2006144339.tif 000006
【図５】
2006144339.tif 000007
【図６】
2006144339.tif 000008
【図７】
2006144339.tif 000009
【図８】
2006144339.tif 000010
【図９】
2006144339.tif 000011